(57)【特許請求の範囲】
【請求項１】
照明固定具に取外し可能に連結することができる照明モジュールであって、
ＬＥＤ照明要素と、
そのＬＥＤ照明要素が装着される装着ベースと、
該装着ベースに力を加えるように構成された１つまたはそれ以上の弾性部材であって、その力によって、照明モジュールが照明固定具に結合されたときに前記装着ベースが前記照明固定具に弾性的に接触し、それにより、照明モジュールの少なくとも一部が照明固定具に熱的に結合するように構成されている、１つまたはそれ以上の弾性部材と、
を備え、
前記装着ベースが照明モジュールに対して軸方向に可動であり、これにより、主要な熱が、前記装着ベースを介して前記ＬＥＤ照明要素から前記照明固定具に伝達される、照明モジュール。
【請求項２】
前記１つまたはそれ以上の弾性部材が、
照明モジュールの装着ベースに実質的に均一に及ぶ力で前記装着ベースを前記照明固定具に付勢することによって、照明モジュールを前記照明固定具に結合する、請求項１に記載の照明モジュール。
【請求項３】
前記弾性部材が圧縮バネを含んでいる、請求項１に記載の照明モジュール。
【請求項４】
前記装着ベースが、前記ＬＥＤ照明要素からの熱を前記照明固定具に熱的に伝導するように、熱伝導材料で構成されている、請求項１に記載の照明モジュール。
【請求項５】
さらに、
照明モジュールと照明固定具との結合において、前記照明固定具の電気接点に電気的に接続可能な電気接点を少なくとも１つ備えている、請求項１に記載の照明モジュール。
【請求項６】
前記少なくとも１つの電気接点は、
照明モジュールが照明固定具と結合している間、前記照明固定具の前記電気接点に回転して接続可能である、請求項５に記載の照明モジュール。
【請求項７】
照明モジュールと、１つまたはそれ以上の弾性部材と、を備える照明ユニットであって、
該照明モジュールは、
ＬＥＤ照明要素と、凹部を含む照明固定具と、を有し、
前記照明固定具は、照明モジュールが当該照明固定具に結合されているときに照明モジュールを冷却するヒートシンクを有し、かつ、前記凹部は、照明モジュールが照明固定具に結合されたときに該照明モジュールの一部を取外し可能に受けるようになっており、
前記１つまたはそれ以上の弾性部材は、
前記照明モジュールが前記照明固定具に結合されたときに、装着ベースが前記照明固定具に弾性的にかつ直接的に接触するように前記装着ベースに力を加え、それにより照明モジュールの少なくとも一部と照明固定具とが熱的に結合する、照明ユニット。
【請求項８】
前記照明固定具が、さらに、
照明モジュールが照明固定具に装着されているときに電気的接続を定めるために、前記照明モジュールの電気接点にリリース可能に結合される電気接点を有している、請求項７に記載のユニット。
【請求項９】
前記照明モジュールの前記電気接点が、該照明モジュールが前記照明固定具と結合している間、前記照明固定具の前記電気接点に回転して接続可能である、請求項８に記載のユニット。
【請求項１０】
（ａ）ＬＥＤ照明要素、（ｂ）そのＬＥＤ照明要素が装着される装着ベース、および、（ｃ）該装着ベースに力を加えるように構成された１つまたはそれ以上の弾性部材であって、その力によって、照明モジュールが照明固定具に結合されたときに前記装着ベースが前記照明固定具に弾性的に接触し、それにより、照明モジュールの少なくとも一部が照明固定具に熱的に結合するように構成されている、１つまたはそれ以上の弾性部材を備える照明モジュールと、
前記照明モジュールを取外し可能に受けるように構成された筐体と、
該筐体を介して前記照明モジュールと熱的に結合可能な細長い熱伝導コアと、
該コアの周りに装着され、該コアおよび前記筐体と熱接触するハウジングであって、前記照明モジュールによって生成されて前記筐体および前記熱伝導コアを介して該ハウジングに伝達された熱を放散させるように構成され、熱放散表面を具備する多数の面積増大構造を介して熱を放散するハウジングと、
を備えている照明アセンブリ。
【請求項１１】
ＬＥＤ照明要素を有する照明モジュールと、
円筒状の凹部を有する照明固定具であって、前記照明モジュールが当該照明固定具に結合されているときに照明モジュールを冷却するヒートシンクを有し、前記凹部は、前記照明モジュールが当該照明固定具に結合されるときに該照明モジュールの少なくとも一部を取外し可能に受け入れ、前記照明モジュールの少なくとも一部は前記円筒状の凹部の内部に軸方向に導入される、照明固定具と、
１つまたはそれ以上の弾性部材であって、前記照明モジュールが取外し可能に前記照明固定具に結合されるときに圧縮されて前記照明モジュールの少なくとも一部に対して略軸方向の力を及ぼすように構成され、それにより、該照明モジュールの少なくとも一部を弾性的に押して前記照明固定具の表面に弾性的かつ直接的に接触させ、前記照明モジュールの少なくとも一部を前記照明固定具に熱的に結合させる、１つまたはそれ以上の弾性部材と、
を備えている照明アセンブリ。
【請求項１２】
前記１つまたはそれ以上の弾性部材が、前記照明モジュールに配置されている、請求項１１に記載の照明アセンブリ。
【発明の詳細な説明】
【技術分野】
【０００１】
本発明は、その中に組み込まれた受動冷却構成要素を含むことができる照明アセンブリを対象とする。
【背景技術】
【０００２】
ランプ、天井灯、トラックライト（ｔｒａｃｋ  ｌｉｇｈｔ）などの照明アセンブリは、家庭または事業所における重要な器具である。このようなアセンブリは、ある範囲を照明するために使用されるだけでなく、しばしば、その範囲の装飾の一部として役立たせるために使用される。しかしながら、１つの照明アセンブリにおいて、どちらかを犠牲にすることなく、形態と機能を両立させることはしばしば難しい。
【０００３】
伝統的な照明アセンブリは一般に白熱電球を使用する。白熱電球は安価ではあるが、エネルギー効率が悪く、視感効率も低い。白熱電球のこれらの欠点に対処することを意図して、よりエネルギー効率がよく、より長持ちする、蛍光電球、発光ダイオード（ＬＥＤ）などの照明源を使用する手段が講じられている。蛍光電球は、電球を流れる電流を調節するのに安定器を必要とし、したがって標準照明アセンブリに組み込むことが難しいことがある。したがって、かつては特殊用途向けとされていたＬＥＤが、より従来型の照明アセンブリの光源としてますます検討されている。
【０００４】
ＬＥＤは、白熱電球および蛍光電球に優るいくつかの利点を提供する。例えば、ＬＥＤは、１ワットあたり白熱電球よりも多くの光を放出し、減光しても照明の色が変化せず、強い保護および高い耐久性を提供するために堅固なケースの中に構築することができる。ＬＥＤはさらに、控え目に使用されたときに、時には１０万時間を超える極めて長い寿命を有し、この寿命は、最良の蛍光電球の２倍、最良の白熱電球の２０倍である。さらに、ＬＥＤは一般に、白熱電球のように突然に切れることはなく、時間がたつにつれて徐々に暗くなり、やがて機能を停止する。ＬＥＤはさらに、サイズが小さく安定器が不要なため蛍光電球よりも望ましく、また、非常に小さくなるように大量生産し、プリント回路板上に容易に装着することができる。
【０００５】
しかしながら、ＬＥＤは熱に関係した限界を有する。ＬＥＤの性能はしばしば動作環境の周囲温度に依存し、やや高い周囲温度を有する環境中でＬＥＤを動作させると、ＬＥＤが過熱し、早期に機能を停止することがある。さらに、ある範囲を十分に照明するのに足る十分な強度での長時間のＬＥＤの動作も、ＬＥＤの過熱および早期の機能停止を引き起こす可能性がある。したがって、照明アセンブリ内でＬＥＤを使用する際の重要な考慮事項は、適切な受動冷却または能動冷却を提供することである。
【発明の概要】
【発明が解決しようとする課題】
【０００６】
ファンなどの能動冷却機構は、アセンブリのサイズおよび消費電力をしばしば増大させ、追加の電力を消費するため、照明アセンブリに実装することが困難なことがある。ヒートシンクなどの受動冷却構造も、照明アセンブリのサイズを増大させるため、組み込むことが困難なことがある。さらに、蛍光電球アセンブリ内には安定器があることがあるため、伝統的なヒートシンクも同様に、伝統的な照明割当てに組み込むには不利なことがある。
したがって、サイズをあまり増大させることなく、かつ照明アセンブリがある範囲に付与しうる美観および雰囲気を損なうことなく、ＬＥＤ照明アセンブリなどの照明アセンブリに適切な冷却を提供することが求められている。
【課題を解決するための手段】
【０００７】
本発明によれば、照明要素を含んでいる照明モジュールと、照明モジュールを受け、収容する凹みを有している筐体と、筐体を介して照明モジュールに接続された熱伝導コアと、周囲大気へ熱を放散するように、コアおよび筐体に熱接触した状態に装着されたハウジングとを備えている照明アセンブリが提供される。
【０００８】
本発明によればさらに、照明アセンブリを製造する方法であって、熱伝導接着剤を使用して、筐体の筐体底部に熱伝導コアのコア頂部を固定すること、熱伝導接着剤を使用して、熱伝導コアのコア底部にハウジングを固定すること、ばね圧縮を使用して、少なくとも１つの照明要素を含んでいる照明モジュールを、筐体の筐体頂部の凹みの中に弾性的に装着すること、および照明モジュールを囲うために、筐体に保護カバーを取り付けることを含む方法が提供される。
【０００９】
本発明に基づく追加の特徴および利点は、一部については以下の説明に記載されており、一部については、以下の説明から明白であり、または本発明を実施することによって知ることができる。本発明に基づくそれらの特徴および利点は、特許請求の範囲に詳細に記載された要素および組合せによって実現され、達成される。
【００１０】
本発明によればさらに、照明アセンブリ内で使用される照明モジュールが提供される。この照明モジュールは、照明アセンブリ上に配置された装着ベースと、照明アセンブリと装着ベースの間に配置された第１の熱伝導材料と、装着ベース上に装着された照明要素と、照明要素と装着ベースの間に配置された第２の熱伝導材料と、照明アセンブリ内に照明モジュールを取外し可能に固定する弾性装着構成要素とを備えている。
【００１１】
以上の概略的な説明と以下の詳細な説明はともに、単に例示および説明を目的としたものであり、特許請求の範囲に記載された発明を限定するものではないことを理解されたい。
【００１２】
本明細書に組み込まれ、本明細書の一部を構成する添付図面は、本発明に基づく一実施形態を例示し、本明細書の説明とともに、本発明の原理を説明する役目を果たす。
【図面の簡単な説明】
【００１３】
【図１】本発明に基づく照明アセンブリの透視図である。
【図２】図１の照明アセンブリの分解図である。
【図３Ａ】図２の照明モジュールの分解図である
【図３Ｂ】図３Ａの照明モジュールの側面図である。
【発明を実施するための形態】
【００１４】
次に、本発明に基づく例示的な実施形態を詳細に参照する。本発明に基づく例示的な実施形態の一例が添付図面に示されている。可能なときには、図面全体を通じて、同じまたは同様の部分を指すために同じ参照符号が使用されている。
【００１５】
図１は、本発明に基づく照明アセンブリ１００の図である。
照明アセンブリ１００は、一実施形態では、保護カバー１０、筐体２０、ハウジング３０、およびコア４０を含んでいる。本発明によればさらに、照明アセンブリは、図３Ａおよび３Ｂに示されているように、照明モジュール６０を含むことができる。
【００１６】
本発明に基づくいくつかの実施形態では、照明アセンブリはさらに、装着ブラケット５０と電力ケーブル５２とを含んでいてもよい。装着ブラケット５０は、照明アセンブリ１００を、壁やライトスタンドや天井などの動かない固定具に装着するのに使用することができる。本発明に基づく一実施形態では、トラック照明器具において使用されるトラックに照明アセンブリ１００を装着するのに、装着ブラケット５０を使用することができる。電力ケーブル５２は、外部電源から照明アセンブリ１００へ電力を供給するコネクタとして使用することができる。
【００１７】
図２は、図１の照明アセンブリの分解図である。図２に示されているように、照明モジュール６０を取り囲む筐体２０にカバー１０を取り付けることができる。図２には照明モジュール６０は完全には示されていないが図３Ａおよび３Ｂに完全に示されている。保護カバー１０および筐体に対する照明モジュール６０の配置は、図２に、例示のためのみに、点線を使用して示している。
【００１８】
図２に戻ると、カバー１０は、カバー１０の中心部分に形成された主開口部１２と、開口部１２の中に形成されたレンズ１４などの透明部材と、カバー１０の周縁に形成された複数の周縁孔１６と、を含むことができる。レンズ１４は、照明要素から放出された光がカバー１０を透過することを可能にし、さらに照明要素を環境から保護する。光が最小限の反射または散乱でレンズ１２を透過することを可能にするため、レンズ１２は任意の透明材料から製作することができる。本発明によれば、カバー１０、筐体２０、ハウジング３０およびコア４０は、高い熱伝導率を有する材料から形成することができる。カバー１０、筐体２０、ハウジング３０、およびコア４０は、同じ材料または異なる材料から形成することができる。例えば、本発明に基づく一実施形態では、カバー１０、筐体２０、ハウジング３０、およびコア４０が、８０Ｗ／ｍＫよりも大きな熱伝導率を有する材料などの同じ材料から形成される。本発明によれば、この材料をアルミニウムまたは陽極処理アルミニウムとすることができる。
【００１９】
周縁孔１６は、等間隔に配置されカバー１０の周縁全体に沿った部分を露出させるように、カバー１０の周縁に形成することができる。複数の周縁孔１６が示されているが、本発明に基づく実施形態は、１つまたは複数の周縁孔１６を使用することができ、あるいは周縁孔１６を全く使用しなくてもよい。本発明の一実施形態によれば、周縁孔１６は、熱を放散させるために空気がカバー１０を通り抜け照明モジュール６０の上を流れることができるように設計されている。本発明の他の実施形態によれば、照明モジュール６０から放出された光が周縁孔１６を通過してカバー１０の光環（コロナ）効果を提供することを可能にするために周縁孔１６が使用されてもよい。
【００２０】
筐体２０は、凹み２１を含むことができ、この凹み２１には照明モジュール６０が取外し可能に装着される。筐体２０はさらに、締付け具２４を使用してその上に複数の電気接点２３が取り付けられた装着リング２２を含むことができる。電源ケーブル５２を受け取り電気接点２３との電気接続を確立するため、筐体２０の周縁に電源開口２５を形成することができ、電源開口２５には電源グロメットを取り付けることができる。本発明に基づく実施形態では、電源ケーブル５２を筐体２０に固定可能に取り付けることができるが、本発明に基づく他の実施形態では、電源ケーブル５２を筐体２０に取外し可能に取り付けることができる。
【００２１】
さらに、筐体２０の周縁に締付け孔２６を形成することができ、この孔は、締付けねじ２７を使用して筐体２０に装着ブラケット５０を締め付ける際に使用される。さらに、筐体２０の底面に通気孔２８を形成することができ、この通気孔２８は、空気が照明モジュール６０の上を流れ周囲大気中へ流出すること、またはハウジング３０内を通り次いで周囲大気中へ流出することを可能にし、それにより照明モジュールの冷却を受動的に助ける。
【００２２】
本発明の一実施形態によれば、照明モジュールが内部に装着されたときに、電気接点２３がその照明モジュール６０への電気接続を提供する。電気接点との電気接続を確立する接点パッド（図示せず）を照明モジュール６０の底面に取り付けて、電源ケーブル５２のプラグが筐体２０に差し込まれたときに、電源ケーブル５２を通して電気接点２３へ、次いで接点パッドを通して照明モジュール６０内へ電力が供給されるようにすることができる。
【００２３】
本発明によれば、例えば差込み式（プラグイン）接続を使用して、照明モジュール６０を筐体から取り外すことができるようにすることができる。取外し可能な照明モジュール６０は、使用者が、照明モジュール６０から安全に電源を切り離すことを可能にすることができ、その結果、使用者は次いで照明モジュール６０を取り外し、照明モジュール６０を取り替え、修理し、較正しまたは試験することができる。具体的には、照明モジュール６０を取替え可能に形成することができ、それにより使用者は、照明アセンブリ１００の他の構成要素を一切取り替える必要なしに照明モジュール６０を取り替えることができる。さらに、照明アセンブリ１００が装着されたまま、照明モジュール６０を取り外し、取り替えることができる。
【００２４】
図２はさらに熱伝導コア４０を示している。本発明によれば、コア４０は、スパイク形または「Ｔ」字形の形状を有することができる。本発明によれば、コア４０は、熱伝導接着剤（図示せず）を使用して筐体２０の底面に固定することができる。本発明に基づく一実施形態では、熱伝導接着剤を、Ｄｏｗ  Ｃｏｒｎｉｎｇ  Ｃｏｒｐｏｒａｔｉｏｎ社によって製造されたＳＥ４４８６  ＣＶ  Ｔｈｅｒｍａｌｌｙ  Ｃｏｎｄｕｃｔｉｖｅ  Ａｄｈｅｓｉｖｅとすることができるが、他の熱伝導接着剤を使用してもよい。
【００２５】
本発明によれば、コア４０は導管の働きをし、照明モジュール６０によって生成された熱を、筐体２０を通して伝導し、ハウジング３０の部分およびコア４０の端部から周囲大気中へ放出する。
【００２６】
ハウジング３０は、リッジ３２などの複数の表面積増大構造を含んでいる押出成形品（extrusion）から製作することができる。リッジ３２は複数の目的を果たすことができる。例えば、リッジ３２は、ハウジング３０の全体表面積を増大させるための熱放散面を提供することができ、それにより熱が周囲大気中に放散するためのより大きな表面積を提供することができる。すなわち、リッジ３２は、ハウジング３０が照明アセンブリ１００の効果的なヒートシンクとして機能することを可能にすることができる。
さらに、ハウジング３０が美的性質を帯びるように、リッジ３２を、さまざまな任意の形状および構成に形成することができる。すなわち、ハウジング３０が、美的魅力を有する装飾的な押出成形品として形作られるようにリッジ３２を形成することができる。例えば、図２に示されているハウジング３０は花の形状を有しており、リッジ３２はフルート（溝）として形成されている。しかしながら、ハウジング３０を、複数の他の形状を有するように形成することもできる。したがって、ハウジング３０は、照明アセンブリ１００の装飾的な特徴として機能することができるだけでなく、照明モジュール６０を冷却するヒートシンクとしても機能することができる。
【００２７】
ハウジング３０はさらに複数のハウジング孔３４を含むことができ、この孔は、ハウジング３０の頂部（図２の左側）からハウジング３０の底部（図２の右側）を貫いて延びるように形成されている。ハウジング孔３４は、ハウジング３０の重量を低減させるためだけでなく、加えて照明アセンブリ１００内を通る空気流を増大させるために形成される。したがって、空気は、周縁孔１６を通過し、照明モジュール６０を流れ、通気孔２８およびハウジング孔３４を通り抜けて、ハウジング３０の底部から周囲大気中へ放散し、またはハウジング３０から周囲大気中へ放散することができる。本発明に基づく一実施形態では、ハウジング孔３４が、通気孔２８と整列するように形成されている。
【００２８】
本発明によれば、ハウジング３０はさらに、ハウジング３０の頂部からハウジング３０の底部（図２の右側）を貫いて延びるコア孔３６を含むことができる。ハウジング３０をコア４０に固定することができるように、コア孔３６は、コア４０の底部を受けることができる。本発明の一実施形態によれば、熱伝導接着剤を使用してハウジング３０をコア４０に固定することができる。この熱伝導接着剤は、Ｄｏｗ  Ｃｏｒｎｉｎｇ  Ｃｏｒｐｏｒａｔｉｏｎ社によって製造されたＳＥ４４８６  ＣＶ  Ｔｈｅｒｍａｌｌｙ  Ｃｏｎｄｕｃｔｉｖｅ  Ａｄｈｅｓｉｖｅとすることができるが、他の熱伝導接着剤を使用してもよい。
【００２９】
ハウジング３０は、ハウジング３０の頂部の頂面が筐体２０の底面と同一平面をなすように、コア４０に固定することができ、それによってハウジング３０と筐体２０の間の確実な熱接触を確立することができる。さらに、熱伝導接着剤を使用して、ハウジング３０と筐体２０の間の熱接触を弾性的に確立することができる。ハウジング３０と筐体の間の確実な熱接触を確立することは、照明モジュール６０を冷却する際の助けとなる可能性がある。例えば、照明モジュール６０（筐体２０の凹み２１の中に弾性的に装着されている）によって生成された熱が筐体２０の底部を通してリッジ３２の中へ伝導され次いで周囲大気中へ放散するように、リッジ３２の頂面を、筐体２０の底部と同一平面をなすように装着することができる。
【００３０】
図３Ａは、本発明に基づく照明モジュールの分解図である。図３Ａに示されているように、照明モジュール６０は、上から下へ、離脱可能な保護覆い６１と、テーパの付いた光学要素または反射器６２と、第１の回路板孔６４が形成された第１の回路板６３と、照明要素６５と、第２の回路板孔６７が形成された第２の回路板６６と、弾性装着構成要素６８と、装着ベース６９とを含んでいる。
【００３１】
図３Ａに示されているように、第１の回路板６３は、第２の回路板６６上に積み重ねることができ、第１の回路板孔６４を有するように形成することができ、ここで、テーパの付いた光学要素６２は、第１の回路板孔６４を通り抜けて延びるように第１の回路板６３上に装着される。本発明によれば、テーパの付いた光学要素６２は、底部が第１の回路板孔６４を通り抜けて延びることができるように、底部よりも幅の広い頂部を有するように形成することができる。さらに、テーパの付いた光学要素６２は、照明要素６５から放出された光を誘導し、および／または照明要素６５に対する追加の保護を提供するため、内面に形成された複数の反射面を備えることができる。
【００３２】
第２の回路板６６は、第２の回路板孔６７が装着ベース６９の頂部６９Ａを受け取るように形成することができる。本発明によれば、頂部６９Ａが底部よりも幅が狭くなるように装着ベース６９を形成することができ、それにより、頂部６９Ａは、第２の回路板孔６７を通り抜けて延びることができる。さらに、装着ベース６９は、高い熱伝導率を有する材料から形成することができる。本発明によれば、装着ベース６９を銅から形成することができる。そして、装着ベース６９の頂面６９Ａに照明要素６５を装着することができる。
【００３３】
図３Ａに示されているように、照明要素６５は、発光ダイオード（ＬＥＤ）チップ７０を含んでいる。示されている実施形態は照明要素としてＬＥＤを使用するが、本発明の他の実施形態によれば、他の照明要素を使用することもできる。ＬＥＤチップ７０は、少なくとも１つの発光ダイオードデバイスがその上に装着されたチップを備えることができる。例えば、ＬＥＤチップ７０は、ＯＳＲＡＭ  ＧｍｂＨ社によって製造された出力４００〜６５０ルーメンのＯＳＴＡＲ  ６−ＬＥＤチップを備えることができる。
【００３４】
次いで、ねじまたは他のよく知られた締付具とすることができる締付け具７１を使用して、装着ベース６９上に照明要素６５を装着することができる。照明要素６５と装着ベース６９の間に第１の熱伝導材料７２が配置され、これは、照明要素６５と装着ベース６９の間の空隙充填材の働きをする。本質的に、製造工程中の照明要素６５の底面の機械加工および装着ベース６９の機械加工はともに、これらの表面に、空隙を形成する小さな欠陥を残す可能性がある。これらの空隙のサイズは微小だが、これらの空隙は、照明要素６５の底面と装着ベース６９の頂面６９Ａとの間の熱伝導に対する障害となる。まず、第１の熱伝導材料７２はこれらの空隙を埋めて、照明要素６５と装着ベース６９の間の熱インピーダンスを低減させる働きをし、その結果、熱伝導が向上する。さらに、本発明によれば、第１の熱伝導材料７２を相変化材料（所定の温度で固体から液体へ変化し、それにより第１の熱伝導材料７２の空隙充填特性を向上させる）とすることができる。例えば、熱伝導材料７２は、Ｔｈｅ  Ｂｅｒｇｑｕｉｓｔ  Ｃｏｍｐａｎｙ社によって製造された、５５℃で固体から液体へ変化するように設計されたＨｉ−Ｆｌｏｗ  ２２５Ｆ−ＡＣ相変化材料を含むことができる。
【００３５】
照明要素６５がその上に装着された装着ベース６９は次いで、弾性装着構成要素６８を使用して、積み重ねられた第１の回路板６３および第２の回路板６６に弾性的に装着される。本発明によれば、装着ベース６９上に照明要素６５を装着する前に、装着ベース６９を、弾性装着構成要素６８を使用して、積み重ねられた第１の回路板６３および第２の回路板６６に装着することができる。
【００３６】
弾性装着構成要素６８は、積み重ねられた第１および第２の回路板６３および６６に装着ベース６９を装着し、照明要素６５の表面および装着ベース６９の表面全体にわたって実質的に均等な締付け力を提供するように、配置することができる。弾性装着構成要素６８を使用することにより、照明要素６５と装着ベース６９の間の空隙によって生じる熱インピーダンスが最小化され、熱伝導率が改善される。図３Ａに示されている実施形態では、弾性装着構成要素６８が圧縮ばね部材を備えることができる。弾性装着構成要素６８が例えばゴム管部材などの弾性部材を備えることができる、本発明に基づく他の実施形態を提供することもことができる。
【００３７】
筐体２０の凹み２１（図２）の中に、照明モジュール６０の底面を装着することができる。具体的には、装着ベース６９の底面が凹み２１の中の筐体２０の頂面と接触するように、照明モジュール６０を装着することができる。本発明によれば、装着ベース６９と筐体２０の間の熱インピーダンスを最小化するため、装着ベース６９と筐体２０の間に、第１の熱伝導材料７２と同様の第２の熱伝導材料７３（図３Ａ）を配置することができる。第２の熱伝導材料７３も、Ｔｈｅ  Ｂｅｒｇｑｕｉｓｔ  Ｃｏｍｐａｎｙ社によって製造されたＨｉ−Ｆｌｏｗ  ２２５ＵＦなどの相変化材料とすることができる。
【００３８】
本発明によれば、第２の回路板６６は、裏面に装着された少なくとも１つの２次ＬＥＤ７４を有することができる。図３Ａに示されているように、第２の回路板６６は、裏面に装着された複数の２次ＬＥＤ７４を有している。本発明によれば、２次ＬＥＤ７４は、２次ＬＥＤ７４が通気孔２８（図２）と整列するように第２の回路板６６に取り付けることができる。このような配置は、２次ＬＥＤ７４が、通気孔２８を通過し、ハウジング３０およびリッジ３２を照明する２次光を放出することを可能にすることができる。２次光はさらに、照明アセンブリ１００の背後の領域に、ハウジング３０の形の影を投げかけることができ、それにより照明アセンブリ１００によって提供される美的効果を増大させる。
【００３９】
さらに、テーパの付いた光学アセンブリ６２ならびに第１および第２の回路板上の他の構成要素を保護するため、離脱可能な保護覆い６１が照明要素６５上に装着されていてもよい。本発明の一実施形態によれば、その離脱可能な保護覆いは、合成材料から製作され第１の回路板６３の頂面に載るように装着される。
【００４０】
図３Ｂは、第１の回路板と第２の回路板の間の隙間７５を示している、本発明に基づく照明モジュールの側面図である。
図３Ｂに示されているように、照明モジュール６０は、第１の回路板６３と第２の回路板６６の間に距離ｄの所定の隙間ができるように組み立てられている。図３Ａおよび３Ｂには、２つの回路板を有している照明モジュール６０が示されているが、本発明に基づく実施形態では、１つの回路板または２つより多くの回路板を有するように照明モジュールを形成することができる。さらに、本発明に基づく他の実施形態では、照明要素６５を能動的に冷却するために、照明モジュール６０はモジュール上に装着された微小なファンを有していてもよく、または、照明要素６５を受動的に冷却するために、回路板上に装着された受動ヒートシンクを有していてもよい。さらに、本発明に基づく実施形態は、照明要素６５上に装着されたヒートシンクとファンの組合せ、および能動冷却構成要素と受動冷却構成要素の他の組合せを使用することができる。
【００４１】
本発明の他の実施形態は、本明細書を検討すること、および本明細書に開示された発明を実施することによって当業者には明らかとなろう。本明細書および例は単に例示的なものとみなされることが意図されており、本発明の真の範囲および趣旨は、以下の特許請求の範囲によって示される。
【図１】
0005340179.tif 000002
【図２】
0005340179.tif 000003
【図３Ａ】
0005340179.tif 000004
【図３Ｂ】
0005340179.tif 000005